(57)【要約】【課題】プラズマディスプレイパネルを封着する際に、パネルが割れることを防止し、パネルを平坦に保持することを安定して行う。【解決手段】一対の基板（前面基板２および背面基板３）を対向配置してその周縁部を封着部材２５で封着する際に、複数の支柱２２と、その各支柱２２の先端に設けられた結晶化ガラスよりなるパネル保持部材２３とを有する封着装置２０を用い、この封着装置２０の前記パネル保持部材２３上にパネルを保持しながら封着する。また、パネル保持部材２３を、支柱２２の先端に交換できるように取り付けている。【選択図】  図５
2004356040.tif 000002
【特許請求の範囲】
【請求項１】
一対の基板を対向配置してその周縁部を封着部材で封着する際に、複数の支柱と、その各支柱の先端に設けられた結晶化ガラスよりなるパネル保持部材とを有する封着装置を用い、この封着装置の前記パネル保持部材上にパネルを保持しながら封着することを特徴とするプラズマディスプレイパネルの製造方法。
【請求項２】
パネル保持部材を、支柱の先端に交換できるように取り付けたことを特徴とする請求項１に記載のプラズマディスプレイパネルの製造方法。
【請求項３】
結晶化ガラスがネオセラムであることを特徴とする請求項１に記載のプラズマディスプレイパネルの製造方法。
【請求項４】
一対の基板を対向配置してその周縁部を封着部材で封着する際にパネルを保持するための封着装置であって、複数の支柱と、その各支柱の先端に設けられた結晶化ガラスよりなるパネル保持部材とを有し、前記パネル保持部材上に前記パネルを保持するように構成したことを特徴とするプラズマディスプレイパネルの封着装置。
【請求項５】
パネル保持部材を、支柱の先端に交換できるように取り付けたことを特徴とする請求項４に記載のプラズマディスプレイパネルの封着装置。
【請求項６】
結晶化ガラスがネオセラムであることを特徴とする請求項４に記載のプラズマディスプレイパネルの封着装置。
【発明の詳細な説明】
【０００１】
【発明の属する技術分野】
本発明は、プラズマディスプレイパネルの製造方法および封着装置に関するものである。
【０００２】
【従来の技術】
プラズマディスプレイパネルは、対向配置した前面基板と背面基板の周縁部を封着部材によって封着することにより構成されており、前面基板と背面基板との間に形成された放電空間には、ネオンおよびキセノンなどの放電ガスが封入されている。前面基板上には、誘電体層で覆われた一対の電極からなる表示電極を複数形成し、背面基板上には、表示電極と直交する方向に複数のアドレス電極と隔壁を形成するとともに隣接する隔壁間に蛍光体層を形成している。このようなプラズマディスプレイパネルでは、ガス放電により紫外線を発生させ、この紫外線で蛍光体層を発光させることによりカラー画像を表示している。
【０００３】
このようなプラズマディスプレイパネルを製造する場合、特許文献１に記載されているように、表示電極などを形成した前面基板と、封着部材やアドレス電極などを形成した背面基板とを対向配置し、この対向配置した前面基板と背面基板とを複数のクリップで挟んで仮固定した状態で加熱処理して封着部材を軟化させることにより、前面基板と背面基板とを封着部材で封着するというパネルの封着工程を行っている。
【０００４】
【特許文献１】
特開２００２−３５８８８５号公報
【０００５】
【発明が解決しようとする課題】
本発明は、このようなプラズマディスプレイパネルを封着する際に、パネルが割れることを防止し、パネルを平坦に保持することを安定して行うことを目的とするものである。
【０００６】
【課題を解決するための手段】
この目的を達成するために、本発明は、一対の基板を対向配置してその周縁部を封着部材で封着する際に、複数の支柱と、その各支柱の先端に設けられた結晶化ガラスよりなるパネル保持部材とを有する封着装置を用い、この封着装置の前記パネル保持部材上にパネルを保持しながら封着することを特徴とするプラズマディスプレイパネルの製造方法である。
【０００７】
また、本発明は、一対の基板を対向配置してその周縁部を封着部材で封着する際にパネルを保持するための封着装置であって、複数の支柱と、その各支柱の先端に設けられた結晶化ガラスよりなるパネル保持部材とを有し、前記パネル保持部材上に前記パネルを保持するように構成したことを特徴とするプラズマディスプレイパネルの封着装置である。
【０００８】
【発明の実施の形態】
すなわち、本発明の請求項１に記載の発明は、一対の基板を対向配置してその周縁部を封着部材で封着する際に、複数の支柱と、その各支柱の先端に設けられた結晶化ガラスよりなるパネル保持部材とを有する封着装置を用い、この封着装置の前記パネル保持部材上にパネルを保持しながら封着することを特徴とするプラズマディスプレイパネルの製造方法である。
【０００９】
また、請求項２に記載の発明は、請求項１に記載の発明において、パネル保持部材を、支柱の先端に交換できるように取り付けたことを特徴とする。
【００１０】
また、請求項３に記載の発明は、請求項１に記載の発明において、結晶化ガラスがネオセラムであることを特徴とする。
【００１１】
本発明の請求項４に記載の発明は、一対の基板を対向配置してその周縁部を封着部材で封着する際にパネルを保持するための封着装置であって、複数の支柱と、その各支柱の先端に設けられた結晶化ガラスよりなるパネル保持部材とを有し、前記パネル保持部材上に前記パネルを保持するように構成したことを特徴とするプラズマディスプレイパネルの封着装置である。
【００１２】
また、請求項５に記載の発明は、請求項４に記載の発明において、パネル保持部材を、支柱の先端に交換できるように取り付けたことを特徴とする。
【００１３】
また、請求項６に記載の発明は、請求項４に記載の発明において、結晶化ガラスがネオセラムであることを特徴とする。
【００１４】
以下、本発明の一実施の形態について図面を用いて説明する。
【００１５】
まず、プラズマディスプレイパネルの構造について、パネルの要部を示す斜視図である図１を用いて説明する。図１に示すように、パネル１は、一対の基板である前面基板２と背面基板３とを対向配置し、前面基板２と背面基板３との間に放電空間を形成して構成されている。また、図１には示していないが、前面基板２と背面基板３の周縁部を低融点ガラスからなる封着部材によって封着し、放電空間には例えばネオンとキセノンの混合ガスを放電ガスとして封入している。
【００１６】
ガラス基板である前面基板２上には、走査電極４と維持電極５とで対をなすストライプ状の表示電極６を複数形成し、その表示電極６を覆うように誘電体層７を形成し、その誘電体層７上に保護層８を形成している。また、ガラス基板である背面基板３上には、表示電極６と直交する方向にストライプ状のアドレス電極９を複数形成し、アドレス電極９を覆うように絶縁体層１０を形成している。さらに絶縁体層１０の上には、隣接するアドレス電極９の間の位置に、アドレス電極９と平行に隔壁１１を配置形成しており、隣接する隔壁１１間には蛍光体層１２を形成している。すなわち、放電空間は、隔壁１１によって複数の区画に仕切られており、区画毎にそれぞれ赤色、緑色および青色の蛍光体層１２を順次形成している。
【００１７】
そして、表示電極６とアドレス電極９とが交差する部分には放電セルが形成され、赤色、緑色および青色の蛍光体層１２を有する隣接した３つの放電セルにより、カラー表示を行う１つの画素が構成される。
【００１８】
このように構成されたパネル１においては、走査電極４とアドレス電極９との間に選択的に書き込みパルスを印加してアドレス放電を行うことにより、表示すべき放電セルを選択した後、走査電極４と維持電極５との間に、交互に反転する周期的な維持パルスを印加して維持放電を行うことで、カラー画像の表示を行っている。
【００１９】
次に、プラズマディスプレイパネルを封着するときに使用する封着装置について図２および図３を用いて説明する。
【００２０】
図２に示すように、本実施の形態において使用する封着装置２０は、封着時にパネルを保持するためのものであり、平板状の底板２１と、底板２１上に立てて設けられた複数の支柱２２と、各支柱２２の先端に設けられたパネル保持部材２３とにより構成されている。支柱２２は、例えばねじ留めにより底板２１に固定されており、底板２１と支柱２２はステンレス材を用いて構成されている。また、パネル保持部材２３は、熱膨張係数が極めて低い結晶化ガラス（日本電気硝子株式会社製の商品名「ネオセラム」や石英ガラス）を用いて円柱状に形成されている。パネル１を封着するときには、封着前のパネル１をパネル保持部材２３の上に載せて保持した状態で熱処理を行うことによりパネル１を封着する。なお、図２では、６個の支柱２２を設けた場合を示しているが、底板２１に配設する支柱２２の数や配置についてはパネル１の大きさなどにより適宜設定すればよく、例えば４２型パネルを封着する場合には２０個程度の支柱２２を設ければよい。また、底板２１の形状については、図２に示すような平板状ではなく、格子状にするなど、適宜変更してもよい。
【００２１】
図３は、支柱２２の先端部分を拡大するとともに、一部を切り欠いて示した斜視図である。図３に示すように、支柱２２の先端部分は、円柱状のパネル保持部材２３を配置固定できるように、底面２４ａと側面２４ｂとを有する円筒部２４となっており、その円筒部２４の内側にパネル保持部材２３が取り外し可能に設置されている。すなわち、支柱２２の先端には、パネル保持部材２３が交換できるように取り付けられている。パネル保持部材２３は円柱状だけでなく、四角柱など他の形状であってもよく、その場合、パネル保持部材２３の形状に応じて支柱２２の先端部分の形状を変えればよい。
【００２２】
次に、プラズマディスプレイパネルの製造方法について説明する。
【００２３】
まず、前面基板２上に走査電極４と維持電極５とからなる表示電極６、誘電体層７および保護層８を形成し、背面基板３上にアドレス電極９、絶縁体層１０、隔壁１１および蛍光体層１２を形成する。その後、粉体状の低融点ガラスに有機溶剤を加えてペースト化した封着用ペーストを、印刷やディスペンサーなどの方法を用いて背面基板３の周縁部に塗布し乾燥させることにより、背面基板３の周縁部に低融点ガラスからなる封着部材を形成する。
【００２４】
次に、前面基板２と背面基板３とを対向配置して位置合わせした後に、その周囲を複数のクリップで挟んで仮固定する。このときの状態を図４に示しており、図４において、符号２５は前面基板２と背面基板３とを封着するための低融点ガラスからなる封着部材であり、符号２６は前面基板２と背面基板３とを仮固定しているクリップである。なお、図４では、前面基板２上に形成された表示電極６、誘電体層７および保護層８を省略して示しており、また、背面基板３上に形成されたアドレス電極９、絶縁体層１０、隔壁１１および蛍光体層１２を省略して示している。
【００２５】
次にパネルを封着する。すなわち、図５に示すように、前面基板２と背面基板３をクリップ２６で仮固定した状態のパネルを封着装置２０のパネル保持部材２３上に載せて保持しながら、所定の温度分布に設定された焼成炉内を搬送して熱処理を行うことにより封着部材２５を軟化させ、前面基板２と背面基板３とを封着部材２５により封着する。ここで、一例としての焼成炉内の温度分布は、常温から封着温度（約４５０℃）に上昇する温度上昇領域と、その温度上昇領域の後に設けられた封着温度を所定時間維持する封着温度領域と、その封着温度領域の後に設けられた封着温度から常温に低下する温度低下領域とを有するように設定されている。
【００２６】
パネルを封着した後、パネルを所定の温度に加熱しながら排気管（図示せず）を通じてパネル内を排気する。パネル内の排気が終了した後、ネオンおよびキセノンなどの放電ガスを排気管からパネル内に封入し、排気管を封じ切ることにより、プラズマディスプレイパネルが得られる。
【００２７】
ところで、パネルを保持するための封着装置として結晶化ガラスからなるパネル保持部材２３を使用せず、ステンレス材で構成された支柱２２上に直にパネル１を保持した状態で焼成炉内を搬送することにより封着を行う場合、パネルが割れやすい。すなわち、パネル１の材料であるガラスに比べて、支柱２２の材料であるステンレスは熱伝導率がかなり高いため、例えば焼成炉内の前記温度低下領域において、パネル１の温度に比べて支柱２２の温度が早く低下するので、パネル１の面内において、支柱２２が接触している部分とその近傍の部分との間で温度差が生じることになる。このような温度差が大きくなると、パネル１が割れる原因となる。
【００２８】
本実施の形態においては、パネル１が接触するパネル保持部材２３は結晶化ガラスであり、パネル１とパネル保持部材２３の熱伝導率の差が小さいので、焼成炉内の前記温度低下領域において、パネル１の面内で大きな温度差が生じることがない。このため、封着時にパネル１が割れることのないようにすることができる。また、定形の結晶化ガラスからなるパネル保持部材２３上にパネル１を保持するので、封着時に、パネル保持部材２３によってパネル１を平坦に保持することを安定して行うことができる。このため、パネル１が反ることを抑制することができ、前面基板２と背面基板３との間隔が均一になるように封着することができるので、優れた表示品質のパネルを得ることができる。
【００２９】
なお、本実施の形態による封着装置２０において、パネル保持部材２３を支柱２２に固定した状態にしてもよいが、本実施の形態のようにパネル保持部材２３を支柱２２に交換できるように取り付けておくことにより、もしもパネル保持部材２３が摩耗したり破損したりした場合には、そのパネル保持部材２３を交換すればよい。ここで、パネル保持部材２３を交換したときには、パネル保持部材２３によってパネル１を平坦に保持するために特別な調整をする必要はなく、定形のパネル保持部材２３を交換するだけでパネル１を平坦に保持することが可能である。このため、封着装置２０のメインテナンスを容易に行うことができる。
【００３０】
【発明の効果】
以上説明したように、本発明によれば、プラズマディスプレイパネルを封着する際に、パネルが割れることを防止でき、パネルを平坦に保持することを安定して行うことができる。
【図面の簡単な説明】
【図１】本発明の一実施の形態によるプラズマディスプレイパネルの要部を示す斜視図
【図２】同プラズマディスプレイパネルを封着するときに使用する封着装置の斜視図
【図３】同封着装置に設けられた支柱の先端部分を拡大して示す部分切り欠き斜視図
【図４】同プラズマディスプレイパネルの前面基板と背面基板とを対向配置してクリップで挟んで仮固定したときの状態を示す断面図
【図５】同プラズマディスプレイパネルを封着装置に保持した状態を示す部分断面図
【符号の説明】
１  パネル
２  前面基板
３  背面基板
２０  封着装置
２１  底板
２２  支柱
２３  パネル保持部材
２４  円筒部
２５  封着部材
【図１】
2004356040.tif 000003
【図２】
2004356040.tif 000004
【図３】
2004356040.tif 000005
【図４】
2004356040.tif 000006
【図５】
2004356040.tif 000007